(57)【要約】【課題】印刷結果がユーザの意図に沿わないものになることを低減できる印刷装置を提供する。【解決手段】印刷装置１は、それぞれインク色を変更可能な第１印刷部４および第２印刷部７と、第１印刷部４および第２印刷部７で現在使用中の各インク色の属性に基づき、色分版の各分版方法のうち、第１印刷部４および第２印刷部７で現在使用中のインク色で利用可能な分版方法を判定する判定部６２と、第１印刷部４および第２印刷部７で現在使用中のインク色で利用可能と判定された分版方法をユーザに提示する表示部５１とを備える。【選択図】図２
2018058292.tif 000002
【特許請求の範囲】
【請求項１】
それぞれ印刷色を変更可能な複数の印刷部と、
前記複数の印刷部で現在使用中の各印刷色の属性に基づき、印刷対象の画像データを色に基づき複数の印刷色に分版するための複数の分版方法のうち、前記複数の印刷部で現在使用中の印刷色で利用可能な分版方法を判定する判定部と、
前記判定部で利用可能と判定された分版方法をユーザに提示する提示部と
を備えることを特徴とする印刷装置。
【請求項２】
前記判定部は、前記複数の印刷部で現在使用中の印刷色で利用可能な分版方法を判定するとともに、少なくともいずれかの前記印刷部で使用されたことがある印刷色で利用可能な分版方法を判定し、
前記提示部は、前記複数の印刷部で現在使用中の印刷色で利用可能と判定された分版方法、および少なくともいずれかの前記印刷部で使用されたことがある印刷色で利用可能と判定された分版方法をユーザに提示することを特徴とする請求項１に記載の印刷装置。
【請求項３】
それぞれ印刷色を変更可能な複数の印刷部と、
少なくともいずれかの前記印刷部で使用されたことがある各印刷色の属性に基づき、印刷対象の画像データを色に基づき複数の印刷色に分版するための複数の分版方法のうち、少なくともいずれかの前記印刷部で使用されたことがある印刷色で利用可能な分版方法を判定する判定部と、
前記判定部で利用可能と判定された分版方法をユーザに提示する提示部と
を備えることを特徴とする印刷装置。
【請求項４】
前記提示部は、分版方法ごとに複数通りの印刷色の組み合わせを提示可能であることを特徴とする請求項２または３に記載の印刷装置。
【請求項５】
前記提示部は、利用可能と判定された複数の分版方法を、それぞれの推奨度合いに応じた優先順位をつけて提示することを特徴とする請求項１乃至４のいずれか１項に記載の印刷装置。
【発明の詳細な説明】
【技術分野】
【０００１】
本発明は、画像データを分版処理して多色印刷を行う印刷装置に関する。
【背景技術】
【０００２】
多色印刷可能な印刷装置が知られている。多色印刷は、フルカラー印刷とモノクロ印刷との中間的な印刷方法であり、２色印刷等の、限定された複数の印刷色での印刷を行うものである。
【０００３】
例えば、使用するインク色の異なる２つの印刷ドラムを有し、２色印刷を行う孔版印刷装置が知られている。
【０００４】
このような孔版印刷装置では、印刷ドラムを入れ替えることで、印刷に使用するインク色を変更できる。同じ画像データに基づく印刷を行う場合でも、使用するインク色によって、印刷結果が変化する。
【０００５】
そこで、特許文献１には、印刷を行う際に最適なインク色を判定する技術が開示されている。具体的には、特許文献１の技術では、印刷対象の画像データの各画素の色相角と、装置で使用可能な各インク色の色相角とを比較し、画素ごとに各インク色のなかから最近似色を求め、その結果をインク色ごとのヒストグラムに加算する。そして、得られた各インク色のヒストグラムに基づき、印刷に最適なインク色の組み合わせを判定している。これにより、印刷対象の画像データにおける色の特徴を表現する上で最適なインク色の組み合わせが自動的に選択される。
【先行技術文献】
【特許文献】
【０００６】
【特許文献１】特許第４４０８６７１号公報
【発明の概要】
【発明が解決しようとする課題】
【０００７】
しかしながら、印刷対象の画像データのどの色をどのインク色で再現するか等は、ユーザの意図によって異なる。特許文献１の技術では、ユーザの意図に関係なく、インク色の組み合わせが自動的に選択され、それに応じた分版が行われるため、印刷結果がユーザの意図に沿わないものになることがある。
【０００８】
本発明は上記に鑑みてなされたもので、印刷結果がユーザの意図に沿わないものになることを低減できる印刷装置を提供することを目的とする。
【課題を解決するための手段】
【０００９】
上記目的を達成するため、本発明に係る印刷装置の第１の特徴は、それぞれ印刷色を変更可能な複数の印刷部と、前記複数の印刷部で現在使用中の各印刷色の属性に基づき、印刷対象の画像データを色に基づき複数の印刷色に分版するための複数の分版方法のうち、前記複数の印刷部で現在使用中の印刷色で利用可能な分版方法を判定する判定部と、前記判定部で利用可能と判定された分版方法をユーザに提示する提示部とを備えることにある。
【００１０】
本発明に係る印刷装置の第２の特徴は、前記判定部は、前記複数の印刷部で現在使用中の印刷色で利用可能な分版方法を判定するとともに、少なくともいずれかの前記印刷部で使用されたことがある印刷色で利用可能な分版方法を判定し、前記提示部は、前記複数の印刷部で現在使用中の印刷色で利用可能と判定された分版方法、および少なくともいずれかの前記印刷部で使用されたことがある印刷色で利用可能と判定された分版方法をユーザに提示することにある。
【００１１】
本発明に係る印刷装置の第３の特徴は、それぞれ印刷色を変更可能な複数の印刷部と、少なくともいずれかの前記印刷部で使用されたことがある各印刷色の属性に基づき、印刷対象の画像データを色に基づき複数の印刷色に分版するための複数の分版方法のうち、少なくともいずれかの前記印刷部で使用されたことがある印刷色で利用可能な分版方法を判定する判定部と、前記判定部で利用可能と判定された分版方法をユーザに提示する提示部とを備えることにある。
【００１２】
本発明に係る印刷装置の第４の特徴は、前記提示部は、分版方法ごとに複数通りの印刷色の組み合わせを提示可能であることにある。
【００１３】
本発明に係る印刷装置の第５の特徴は、前記提示部は、利用可能と判定された複数の分版方法を、それぞれの推奨度合いに応じた優先順位をつけて提示することにある。
【発明の効果】
【００１４】
本発明に係る印刷装置の第１の特徴によれば、複数の印刷部で現在使用中の各印刷色の属性に基づき、印刷対象の画像データを色に基づき複数の印刷色に分版するための複数の分版方法のうち、複数の印刷部で現在使用中の印刷色で利用可能な分版方法を判定し、利用可能と判定された分版方法をユーザに提示する。これにより、ユーザが、複数の印刷部で現在使用中の印刷色で実際に利用可能な分版方法から自身の意図に応じた分版方法を選択できるので、印刷結果がユーザの意図に沿わないものになることを低減できる。
【００１５】
本発明に係る印刷装置の第２の特徴によれば、複数の印刷部で現在使用中の印刷色で利用可能な分版方法を判定するとともに、少なくともいずれかの印刷部で使用されたことがある印刷色で利用可能な分版方法を判定し、複数の印刷部で現在使用中の印刷色で利用可能と判定された分版方法、および少なくともいずれかの印刷部で使用されたことがある印刷色で利用可能と判定された分版方法をユーザに提示する。これにより、ユーザにより多くの選択肢を提供できるので、印刷結果がユーザの意図に沿わないものになることをより低減できる。
【００１６】
本発明に係る印刷装置の第３の特徴によれば、少なくともいずれかの印刷部で使用されたことがある各印刷色の属性に基づき、印刷対象の画像データを色に基づき複数の印刷色に分版するための複数の分版方法のうち、少なくともいずれかの印刷部で使用されたことがある印刷色で利用可能な分版方法を判定し、利用可能と判定された分版方法をユーザに提示する。これにより、ユーザが所有する印刷色で実際に利用可能な分版方法から自身の意図に応じた分版方法を選択できるので、印刷結果がユーザの意図に沿わないものになることを低減できる。
【００１７】
本発明に係る印刷装置の第４の特徴によれば、分版方法ごとに複数通りの印刷色の組み合わせを提示可能であるため、ユーザの選択肢を広げ、印刷結果がユーザの意図に沿わないものになることをより低減できる。
【００１８】
本発明に係る印刷装置の第５の特徴によれば、利用可能と判定された複数の分版方法を、それぞれの推奨度合いに応じた優先順位をつけて提示するので、ユーザによる分版方法の選択をサポートできる。
【図面の簡単な説明】
【００１９】
【図１】実施の形態に係る印刷装置の概略構成図である。
【図２】図１に示す印刷装置の制御ブロック図である。
【図３】属性テーブルの一例を示す図である。
【図４】分版方法判定処理のフローチャートである。
【図５】分版方法判定処理のフローチャートである。
【図６】印刷装置で現在使用中のインク色で利用可能な分版方法を提示する分版方法選択画面を示す図である。
【図７】印刷装置で使用されたことがあるインク色で利用可能な分版方法を提示する分版方法選択画面を示す図である。
【図８】原稿の一例を示す図である。
【図９】２色印刷による印刷結果の一例を示す図である。
【図１０】２色印刷による印刷結果の他の例を示す図である。
【図１１】２色印刷による印刷結果のさらに他の例を示す図である。
【図１２】２色印刷による印刷結果のさらに他の例を示す図である。
【発明を実施するための形態】
【００２０】
以下、本発明の実施の形態について、図面を参照して説明する。各図面を通じて同一もしくは同等の部位や構成要素には、同一もしくは同等の符号を付している。
【００２１】
以下に示す実施の形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００２２】
図１は、本発明の実施の形態に係る印刷装置の概略構成図である。図２は、図１に示す印刷装置の制御ブロック図である。なお、以下の説明において、図２における紙面の上下左右を上下左右方向とする。
【００２３】
図１、図２に示すように、本実施の形態に係る印刷装置１は、製版部２と、給紙部３と、第１印刷部４と、中間搬送部５と、反転部６と、第２印刷部７と、排紙部８と、第１インク情報取得部９と、第２インク情報取得部１０と、画像読取部１１と、操作パネル部１２と、記憶部１３と、制御部１４とを備える。
【００２４】
製版部２は、印刷データに基づき孔版原紙（図示せず）にサーマルヘッド（図示せず）で穿孔を行うことにより製版する。製版部２は、孔版原紙を後述する第１印刷ドラム２６に供給する第１原紙供給位置（図２の実線位置）と、孔版原紙を後述する第２印刷ドラム４１に供給する第２原紙供給位置（図２の仮想線位置）との間で移動可能に構成されている。
【００２５】
給紙部３は、印刷媒体である用紙Ｐを第１印刷部４に給紙する。給紙部３は、給紙台２１と、１次給紙ローラ２２と、２次給紙ローラ２３とを備える。
【００２６】
給紙台２１は、印刷に用いられる用紙Ｐが積載されるものである。
【００２７】
１次給紙ローラ２２は、給紙台２１上に積載された用紙Ｐを１枚ずつ取り出して２次給紙ローラ２３へ送り出す。
【００２８】
２次給紙ローラ２３は、１次給紙ローラ２２から搬送されてきた用紙Ｐを後述する第１印刷ドラム２６と第１プレスローラ２７との間へ送り出す。
【００２９】
第１印刷部４は、用紙Ｐを搬送しつつ、用紙Ｐに画像を印刷する。第１印刷部４は、第１印刷ドラム２６と、第１プレスローラ２７とを備える。
【００３０】
第１印刷ドラム２６は、用紙Ｐにインクを転写して印刷する。第１印刷ドラム２６は、図１における反時計回り方向に回転可能に構成されている。第１印刷ドラム２６は、円筒形状を有し、多孔構造によるインク透過性の部材で周壁が構成されている。第１印刷ドラム２６の外周面には、製版された孔版原紙が巻装される。第１印刷ドラム２６は、その内部に配置されたインクボトル（図示せず）を有し、第１印刷ドラム２６の内周面にインクボトルからインクが供給される。第１印刷ドラム２６が回転して第１プレスローラ２７との間で用紙Ｐを搬送しつつ、インクが第１印刷ドラム２６の周壁および孔版原紙の穿孔部分を通過して用紙Ｐに転写されることで印刷が行われる。
【００３１】
第１印刷ドラム２６は、着脱可能に構成されている。第１印刷ドラム２６として使用する印刷ドラムを変更することで、第１印刷部４で印刷に使用するインク色（請求項の印刷色に相当）を変更可能である。
【００３２】
第１印刷ドラム２６には、第１インク情報記憶部２８が設けられている。第１インク情報記憶部２８は、第１印刷ドラム２６に対応するインク情報を記憶している。第１インク情報記憶部２８が記憶しているインク情報は、第１印刷ドラム２６で印刷に使用するインク色に対応するインクＩＤと、当該インク色の色情報とを含む。色情報は、例えば、Ｌ＊ａ＊ｂ＊値である。第１インク情報記憶部２８は、例えば、インクボトルに取り付けられたデータタグからなる。
【００３３】
第１プレスローラ２７は、用紙Ｐを第１印刷ドラム２６の外周面に押し付ける。第１プレスローラ２７は、第１印刷ドラム２６の外周面を押圧する押圧位置と、第１印刷ドラム２６の外周面より下方に退避する退避位置との間で上下方向に移動可能に構成されている。
【００３４】
中間搬送部５は、２色印刷時および片面単色印刷時において、第１印刷部４で印刷された用紙Ｐを第２印刷部７側へ搬送する。中間搬送部５は、フリッパ３１と、中間ベルト搬送部３２とを備える。
【００３５】
フリッパ３１は、第１印刷部４で印刷された用紙Ｐの搬送経路を、中間ベルト搬送部３２へ導く経路と、後述する反転部６の貯留部３７へ導く経路との間で切り替える。フリッパ３１は、用紙Ｐを中間ベルト搬送部３２へ導く場合、図２において実線で示す片面印刷方向に設定される。また、用紙Ｐを貯留部３７へ導く場合、フリッパ３１は、図２において仮想線で示す両面印刷方向に設定される。
【００３６】
中間ベルト搬送部３２は、片面印刷方向に設定されたフリッパ３１により誘導されつつ第１印刷部４から搬送されてきた用紙Ｐを第２印刷部７側へ搬送する。
【００３７】
反転部６は、両面印刷時において、第１印刷部４で一方の面に印刷された用紙Ｐを上下反転させて第２印刷部７へ搬送する。反転部６は、湾曲搬送部３６と、貯留部３７と、３次給紙ローラ３８と、４次給紙ローラ３９とを備える。
【００３８】
湾曲搬送部３６は、両面印刷時に第１印刷部４で片面に印刷された用紙Ｐを、下方の貯留部３７へ搬送する。
【００３９】
貯留部３７は、湾曲搬送部３６から搬送されてきた用紙Ｐを一時的にストックした後、３次給紙ローラ３８へ送り出す。
【００４０】
３次給紙ローラ３８は、貯留部３７から送り出された用紙Ｐを受け取り、４次給紙ローラ３９へ向けて搬送する。
【００４１】
４次給紙ローラ３９は、３次給紙ローラ３８から搬送されてきた用紙Ｐを後述する第２印刷ドラム４１と第２プレスローラ４２との間へ送り出す。
【００４２】
第２印刷部７は、２色印刷時において、用紙Ｐを搬送しつつ、用紙Ｐの第１印刷部４で印刷された面と同じ面に画像を印刷する。また、第２印刷部７は、両面印刷時において、用紙Ｐを搬送しつつ、用紙Ｐの第１印刷部４で印刷された面とは逆の面に画像を印刷する。第２印刷部７は、第２印刷ドラム４１と、第２プレスローラ４２とを備える。
【００４３】
第２印刷ドラム４１は、第１印刷ドラム２６と同様に、円筒形状を有し、多孔構造によるインク透過性の部材で周壁が構成されている。第２印刷ドラム４１の外周面には、製版された孔版原紙が巻装される。第２印刷ドラム４１の内部には、第１印刷ドラム２６と同様に、インクボトル（図示せず）が配置されている。第２印刷ドラム４１が回転して第２プレスローラ４２との間で用紙Ｐを搬送しつつ、インクが第２印刷ドラム４１の周壁および孔版原紙の穿孔部分を通過して用紙Ｐに転写されることで印刷が行われる。
【００４４】
第２印刷ドラム４１は、第１印刷ドラム２６と同様に、着脱可能に構成されている。第２印刷ドラム４１として使用する印刷ドラムを変更することで、第２印刷部７で印刷に使用するインク色を変更可能である。
【００４５】
第２印刷ドラム４１には、第２インク情報記憶部４３が設けられている。第２インク情報記憶部４３は、第２印刷ドラム４１に対応するインク情報を記憶している。第２インク情報記憶部４３が記憶しているインク情報は、第２印刷ドラム４１で印刷に使用するインク色に対応するインクＩＤと、当該インク色の色情報とを含む。第２インク情報記憶部４３は、第１インク情報記憶部２８と同様に、例えば、インクボトルに取り付けられたデータタグからなる。
【００４６】
第２プレスローラ４２は、２色印刷時および両面印刷時において、用紙Ｐを第２印刷ドラム４１の外周面に押し付ける。第２プレスローラ４２は、第２印刷ドラム４１の外周面を押圧する押圧位置と、第２印刷ドラム４１の外周面より下方に退避する退避位置との間で上下方向に移動可能に構成されている。
【００４７】
排紙部８は、印刷された用紙Ｐを排紙する。排紙部８は、排紙用ベルト搬送部４６と、排紙台４７とを備える。
【００４８】
排紙用ベルト搬送部４６は、印刷された用紙Ｐを排紙台４７へ搬送する。排紙台４７は、排紙された印刷済みの用紙Ｐが積載されるものである。
【００４９】
第１インク情報取得部９は、第１インク情報記憶部２８から第１印刷ドラム２６に対応するインク情報を取得する。
【００５０】
第２インク情報取得部１０は、第２インク情報記憶部４３から第２印刷ドラム４１に対応するインク情報を取得する。
【００５１】
画像読取部１１は、原稿の画像を読み取り、画像データを生成する。
【００５２】
操作パネル部１２は、各種の入力画面等を表示するとともに、ユーザによる入力操作を受け付ける。操作パネル部１２は、表示部（請求項の提示部に相当）５１と、入力部５２とを備える。
【００５３】
表示部５１は、後述する分版方法選択画面７０，８０等の各種画面を表示する。表示部５１は、液晶表示パネル等を有する。
【００５４】
入力部５２は、ユーザによる入力操作を受け付け、操作に応じた操作信号を出力する。入力部５２は、各種の操作キー、タッチパネル等を有する。
【００５５】
記憶部１３は、各種のプログラムを記憶している。また、記憶部１３は、インク履歴記憶部５６と、属性テーブル記憶部５７とを有する。記憶部１３は、ＨＤＤ（Hard Disk Drive）等からなる。
【００５６】
インク履歴記憶部５６は、印刷装置１で使用可能なインク色のうち、印刷装置１で使用されたことがある各インク色のインクＩＤを、インク履歴情報として記憶している。印刷装置１で使用されたことがあるインク色は、第１印刷部４および第２印刷部７の少なくともいずれかで使用されたことがあるインク色である。すなわち、印刷装置１で使用されたことがあるインク色は、第１印刷ドラム２６および第２印刷ドラム４１の少なくともいずれかとしてセットされたことがある印刷ドラムのインク色である。印刷装置１で使用されたことがあるインク色は、ユーザが当該インク色の印刷ドラムを所有し、ユーザにとって使用可能なインク色であると想定されるものである。インク履歴情報は、新たなインク色の印刷ドラムが第１印刷ドラム２６または第２印刷ドラム４１としてセットされると更新される。
【００５７】
属性テーブル記憶部５７は、図３に示す属性テーブル５８を記憶している。属性テーブル５８は、印刷装置１で使用可能な各インク色と、インクＩＤと、２色印刷時の色分版における各分版方法に対応するインク色の属性とを関連付けたテーブルである。
【００５８】
ここで、２色印刷時の色分版は、印刷対象の画像データを色に基づき２色に分版する分版方法である。本実施の形態では、色分版には、色を分ける基準が異なる複数の分版方法が含まれる。具体的には、色分版における各分版方法として、赤色分版、青色分版、緑色分版、暖色／寒色分版、および有彩／無彩分版がある。
【００５９】
赤色分版は、画像データを赤系色の部分とその他の色の部分とに分版する分版方法である。青色分版は、画像データを青系色の部分とその他の色の部分とに分版する分版方法である。緑色分版は、画像データを緑系色の部分とその他の色の部分とに分版する分版方法である。暖色／寒色分版は、画像データを暖色の部分と寒色の部分とに分版する分版方法である。有彩／無彩分版は、画像データを有彩色の部分と無彩色の部分とに分版する分版方法である。
【００６０】
属性テーブル５８におけるインク色の属性は、上述の各分版方法に対応して、赤系色であるか否か、青系色であるか否か、緑系色であるか否か、暖色か寒色か、有彩色か無彩色か、を示すものである。属性テーブル５８は、後述する推奨分版機能を用いた２色印刷時において、色分版における上述の各分版方法のうち、利用可能な分版方法を判定するために使用される。
【００６１】
制御部１４は、印刷装置１における制御的な処理を行う。制御部１４は、ＣＰＵ、ＲＡＭ、ＲＯＭ等を備えて構成される。制御部１４は、読取制御部６１と、判定部６２と、印刷データ生成部６３と、印刷制御部６４と、表示制御部６５と、インク履歴管理部６６とを備える。制御部１４の各部は、ＣＰＵが記憶部１３に格納されたプログラムにしたがって動作すること等により構成される。
【００６２】
読取制御部６１は、画像読取部１１の動作を制御する。
【００６３】
判定部６２は、推奨分版機能を用いた２色印刷時において、印刷装置１で現在使用中の各インク色の属性に基づき、上述の５つの分版方法のうち、印刷装置１で現在使用中のインク色で利用可能な分版方法を判定する。ここで、印刷装置１で現在使用中のインク色は、第１印刷部４および第２印刷部７で現在使用中のインク色であり、第１印刷ドラム２６としてセットされている印刷ドラムのインク色、および第２印刷ドラム４１としてセットされている印刷ドラムのインク色である。
【００６４】
また、判定部６２は、推奨分版機能を用いた２色印刷時において、印刷装置１で使用されたことがある各インク色の属性に基づき、上述の５つの分版方法のうち、印刷装置１で使用されたことがあるインク色で利用可能な分版方法を判定する。
【００６５】
印刷データ生成部６３は、印刷対象の画像データに基づき、孔版印刷用の印刷データを生成する。２色印刷の場合、印刷データ生成部６３は、印刷対象の画像データを分版して、各色の印刷データを生成する。
【００６６】
印刷制御部６４は、給紙部３、第１印刷部４、中間搬送部５、反転部６、第２印刷部７、および排紙部８による用紙Ｐの搬送および印刷の動作を制御する。また、印刷制御部６４は、製版部２の動作を制御する。
【００６７】
表示制御部６５は、表示部５１に対する表示制御を行う。
【００６８】
インク履歴管理部６６は、インク履歴記憶部５６に記憶されたインク履歴情報の管理を行う。具体的には、インク履歴管理部６６は、第１印刷ドラム２６および第２印刷ドラム４１の少なくともいずれかの入れ替えが行われると、入れ替えらえた印刷ドラムのインク情報を、第１インク情報取得部９および第２インク情報取得部１０の少なくともいずれかを介して取得する。そして、インク履歴管理部６６は、取得したインク情報に含まれるインクＩＤがインク履歴記憶部５６のインク履歴情報に含まれるか否かを判断する。当該インクＩＤがインク履歴情報に含まれていないと判断した場合、インク履歴管理部６６は、当該インクＩＤをインク履歴情報に追加することにより、インク履歴情報を更新する。
【００６９】
次に、推奨分版機能による２色印刷を行う際の印刷装置１の動作について説明する。
【００７０】
推奨分版機能は、上述した色分版における５つの分版方法から、推奨する分版方法をユーザに提示し、そのなかからユーザに選択された分版方法を用いて２色印刷を行う機能である。
【００７１】
なお、推奨分版機能によらずに２色印刷する場合は、色分版以外の分版方法も使用可能である。色分版以外の分版方法としては、原稿に直接書き込まれた枠内の部分と枠外の部分とで分版する方法等がある。
【００７２】
推奨分版機能による２色印刷を行う場合、ユーザが、画像読取部１１に原稿をセットし、入力部５２に対して推奨分版機能を指定する操作を行う。その後、ユーザが、入力部５２に対して印刷開始を指示する操作を行う。
【００７３】
印刷開始が指示されると、読取制御部６１は、原稿の画像を読み取るよう画像読取部１１を制御する。画像読取部１１は、原稿の画像を読み取り、印刷対象の画像データを生成する。
【００７４】
また、判定部６２は、分版方法判定処理を行う。分版方法判定処理は、色分版の５つの分版方法のうち、印刷装置１で現在使用中のインク色で利用可能な分版方法、および印刷装置１で使用されたことがあるインク色で利用可能な分版方法を判定する処理である。
【００７５】
分版方法判定処理について、図４、図５のフローチャートを参照して説明する。
【００７６】
図４のステップＳ１において、判定部６２は、印刷装置１で使用されたことがあるインク色に赤系色が含まれるか否かを判断する。
【００７７】
具体的には、まず、判定部６２は、印刷装置１で使用されたことがある各インク色のインクＩＤを、インク履歴記憶部５６のインク履歴情報から取得する。次いで、判定部６２は、取得した各インク色のインクＩＤに基づき、属性テーブル記憶部５７を参照して、印刷装置１で使用されたことがある各インク色のそれぞれの属性を取得する。そして、判定部６２は、印刷装置１で使用されたことがある各インク色の属性に基づき、印刷装置１で使用されたことがあるインク色に赤系色が含まれるか否かを判断する。
【００７８】
印刷装置１で使用されたことがあるインク色に赤系色は含まれないと判断した場合（ステップＳ１：ＮＯ）、判定部６２は、ステップＳ５へ進む。
【００７９】
印刷装置１で使用されたことがあるインク色に赤系色が含まれると判断した場合（ステップＳ１：ＹＥＳ）、ステップＳ２において、判定部６２は、印刷装置１で使用されたことがあるインク色で赤色分版を利用可能と判定する。
【００８０】
次いで、ステップＳ３において、判定部６２は、印刷装置１で現在使用中のインク色に赤系色が含まれるか否かを判断する。
【００８１】
具体的には、まず、判定部６２は、印刷装置１で現在使用中の２色のインク色のそれぞれのインク情報を、第１インク情報取得部９および第２インク情報取得部１０を介して取得し、２色のインク色のインク情報からそれぞれのインクＩＤを取得する。次いで、判定部６２は、取得した２色のインク色のインクＩＤに基づき、印刷装置１で使用されたことがある各インク色のうち、現在使用中のインク色がどの２色であるかを判断する。そして、判定部６２は、印刷装置１で現在使用中の各インク色の属性に基づき、印刷装置１で現在使用中のインク色に赤系色が含まれるか否かを判断する。
【００８２】
現在使用中のインク色に赤系色は含まれないと判断した場合（ステップＳ３：ＮＯ）、判定部６２は、ステップＳ５へ進む。
【００８３】
現在使用中のインク色に赤系色が含まれると判断した場合（ステップＳ３：ＹＥＳ）、ステップＳ４において、判定部６２は、現在使用中のインク色で赤色分版を利用可能と判定する。
【００８４】
ステップＳ５では、判定部６２は、印刷装置１で使用されたことがある各インク色の属性に基づき、印刷装置１で使用されたことがあるインク色に青系色が含まれるか否かを判断する。印刷装置１で使用されたことがあるインク色に青系色は含まれないと判断した場合（ステップＳ５：ＮＯ）、判定部６２は、ステップＳ９へ進む。
【００８５】
印刷装置１で使用されたことがあるインク色に青系色が含まれると判断した場合（ステップＳ５：ＹＥＳ）、ステップＳ６において、判定部６２は、印刷装置１で使用されたことがあるインク色で青色分版を利用可能と判定する。
【００８６】
次いで、ステップＳ７において、判定部６２は、印刷装置１で現在使用中の各インク色の属性に基づき、印刷装置１で現在使用中のインク色に青系色が含まれるか否かを判断する。印刷装置１で現在使用中のインク色に青系色は含まれないと判断した場合（ステップＳ７：ＮＯ）、判定部６２は、ステップＳ９へ進む。
【００８７】
現在使用中のインク色に青系色が含まれると判断した場合（ステップＳ７：ＹＥＳ）、ステップＳ８において、判定部６２は、現在使用中のインク色で青色分版を利用可能と判定する。
【００８８】
ステップＳ９では、判定部６２は、印刷装置１で使用されたことがある各インク色の属性に基づき、印刷装置１で使用されたことがあるインク色に緑系色が含まれるか否かを判断する。印刷装置１で使用されたことがあるインク色に緑系色は含まれないと判断した場合（ステップＳ９：ＮＯ）、判定部６２は、図５のステップＳ１３へ進む。
【００８９】
印刷装置１で使用されたことがあるインク色に緑系色が含まれると判断した場合（ステップＳ９：ＹＥＳ）、ステップＳ１０において、判定部６２は、印刷装置１で使用されたことがあるインク色で緑色分版を利用可能と判定する。
【００９０】
次いで、ステップＳ１１において、判定部６２は、印刷装置１で現在使用中の各インク色の属性に基づき、印刷装置１で現在使用中のインク色に緑系色が含まれるか否かを判断する。印刷装置１で現在使用中のインク色に緑系色は含まれないと判断した場合（ステップＳ１１：ＮＯ）、判定部６２は、図５のステップＳ１３へ進む。
【００９１】
現在使用中のインク色に緑系色が含まれると判断した場合（ステップＳ１１：ＹＥＳ）、ステップＳ１２において、判定部６２は、現在使用中のインク色で緑色分版を利用可能と判定する。
【００９２】
図５のステップＳ１３では、判定部６２は、印刷装置１で使用されたことがある各インク色の属性に基づき、印刷装置１で使用されたことがあるインク色に暖色および寒色の両方が含まれるか否かを判断する。印刷装置１で使用されたことがあるインク色に暖色および寒色の少なくともいずれかが含まれないと判断した場合（ステップＳ３１：ＮＯ）、判定部６２は、ステップＳ１７へ進む。
【００９３】
印刷装置１で使用されたことがあるインク色に暖色および寒色の両方が含まれると判断した場合（ステップＳ１３：ＹＥＳ）、ステップＳ１４において、判定部６２は、印刷装置１で使用されたことがあるインク色で暖色／寒色分版を利用可能と判定する。
【００９４】
次いで、ステップＳ１５において、判定部６２は、印刷装置１で現在使用中の各インク色の属性に基づき、印刷装置１で現在使用中のインク色に暖色および寒色の両方が含まれるか否かを判断する。印刷装置１で現在使用中のインク色に暖色および寒色の少なくともいずれかが含まれないと判断した場合（ステップＳ１５：ＮＯ）、判定部６２は、ステップＳ１７へ進む。
【００９５】
印刷装置１で現在使用中のインク色に暖色および寒色の両方が含まれると判断した場合（ステップＳ１３：ＹＥＳ）、ステップＳ１６において、判定部６２は、印刷装置１で現在使用中のインク色で暖色／寒色分版を利用可能と判定する。
【００９６】
ステップＳ１７では、判定部６２は、印刷装置１で使用されたことがある各インク色の属性に基づき、印刷装置１で使用されたことがあるインク色に有彩色および無彩色の両方が含まれるか否かを判断する。印刷装置１で使用されたことがあるインク色に有彩色および無彩色の少なくともいずれかが含まれないと判断した場合（ステップＳ１７：ＮＯ）、判定部６２は、一連の処理を終了する。
【００９７】
印刷装置１で使用されたことがあるインク色に有彩色および無彩色の両方が含まれると判断した場合（ステップＳ１７：ＹＥＳ）、ステップＳ１８において、判定部６２は、印刷装置１で使用されたことがあるインク色で有彩／無彩分版を利用可能と判定する。
【００９８】
次いで、ステップＳ１９において、判定部６２は、印刷装置１で現在使用中の各インク色の属性に基づき、印刷装置１で現在使用中のインク色に有彩色および無彩色の両方が含まれるか否かを判断する。印刷装置１で現在使用中のインク色に有彩色および無彩色の少なくともいずれかが含まれないと判断した場合（ステップＳ１９：ＮＯ）、判定部６２は、一連の処理を終了する。
【００９９】
印刷装置１で現在使用中のインク色に有彩色および無彩色の両方が含まれると判断した場合（ステップＳ１９：ＹＥＳ）、ステップＳ２０において、判定部６２は、印刷装置１で現在使用中のインク色で有彩／無彩分版を利用可能と判定し、一連の処理を終了する。
【０１００】
ここで、例えば、印刷装置１で現在使用中のインク色が、ブラックおよびレッドであるとする。図３に示すように、ブラックの属性は、寒色および無彩色である。レッドの属性は、赤系色、暖色、および有彩色である。このため、この場合、上述の分版方法判定処理により、赤色分版、暖色／寒色分版、および有彩／無彩分版が、印刷装置１で現在使用中のインク色で利用可能な分版方法であると判定される。
【０１０１】
また、例えば、印刷装置１で使用されたことがあるインク色が、ブラック、レッド、およびグリーンであるとする。図３に示すように、ブラックの属性は、寒色および無彩色である。レッドの属性は、赤系色、暖色、および有彩色である。グリーンの属性は、緑系色、寒色、および有彩色である。このため、この場合、上述の分版方法判定処理により、赤色分版、緑色分版、暖色／寒色分版、および有彩／無彩分版が、印刷装置１で使用されたことがあるインク色で利用可能な分版方法であると判定される。
【０１０２】
原稿の読み取りおよび分版方法判定処理が終了すると、表示制御部６５は、図６に示す分版方法選択画面７０または図７に示す分版方法選択画面８０を表示部５１に表示させる。
【０１０３】
図６の分版方法選択画面７０は、色分版の５つの分版方法のうち印刷装置１で現在使用中のインク色（ドラム色）で利用可能な分版方法をユーザに提示するとともに、使用する分版方法を選択させるための画面である。
【０１０４】
分版方法選択画面７０には、プレビュー画像７１Ａ〜７１Ｃと、選択ボタン７２Ａ〜７２Ｃと、切替ボタン７３Ａ，７３Ｂとが表示されている。
【０１０５】
プレビュー画像７１Ａ〜７１Ｃは、現在使用中のインク色で利用可能な分版方法をユーザに提示するためのものであり、それぞれの分版方法による印刷対象の画像データの印刷結果のイメージをカラーで示す画像である。
【０１０６】
選択ボタン７２Ａ〜７２Ｃは、それぞれプレビュー画像７１Ａ〜７１Ｃが示す分版方法を選択するためのボタンである。
【０１０７】
切替ボタン７３Ａ，７３Ｂは、表示部５１の表示画面を分版方法選択画面７０と分版方法選択画面８０との間で切り替えるためのボタンである。切替ボタン７３Ａが押下されると分版方法選択画面７０が表示され、切替ボタン７３Ｂが押下されると分版方法選択画面８０が表示される。
【０１０８】
分版方法選択画面７０では、プレビュー画像７１Ａ〜７１Ｃを、それぞれの分版方法の推奨度合いに応じた優先順位をつけて提示している。具体的には、優先順位の高い分版方法から順に画面の左から、結果１〜３として表示している。
【０１０９】
推奨度合いが高い分版方法ほど、優先順位が高くなる。各分版方法の推奨度合いは、例えば、印刷装置１における各分版方法の使用頻度に基づき決定される。この場合、これまでの使用頻度が高い分版方法ほど、推奨度合いが高くなる。また、予め設定された推奨度合いに応じた優先順位で、利用可能な各分版方法を提示してもよい。
【０１１０】
ここで、例えば、印刷装置１で現在使用中のインク色が、ブラックおよびレッドであるとする。この場合、前述のように、赤色分版、暖色／寒色分版、および有彩／無彩分版が、現在使用中のインク色で利用可能な分版方法であると判定される。そして、色分版の５つの分版方法における優先順位は、赤色分版、青色分版、緑色分版、暖色／寒色分版、有彩／無彩分版の順であるとする。この場合、プレビュー画像７１Ａとして赤色分版による印刷結果、プレビュー画像７１Ｂとして暖色／寒色分版による印刷結果、プレビュー画像７１Ｃとして有彩／無彩分版による印刷結果が表示される。
【０１１１】
図６の分版方法選択画面７０では、３つの分版方法をプレビュー画像７１Ａ〜７１Ｃとして提示しているが、提示する分版方法の数はこれに限らない。利用可能と判定された分版方法のすべてを提示してもよいし、利用可能と判定された分版方法のうち優先順位が高い方から一部を提示してもよい。
【０１１２】
図７の分版方法選択画面８０は、色分版の５つの分版方法のうち印刷装置１で使用されたことがあるインク色（ドラム色）で利用可能な分版方法をユーザに提示するとともに、使用する分版方法を選択させるための画面である。
【０１１３】
分版方法選択画面８０には、プレビュー画像８１Ａ〜８１Ｃと、選択ボタン８２Ａ〜８２Ｃと、色変更ボタン８３Ａ〜８３Ｃと、切替ボタン７３Ａ，７３Ｂとが表示されている。
【０１１４】
プレビュー画像８１Ａ〜８１Ｃは、印刷装置１で使用されたことがあるインク色で利用可能な分版方法をユーザに提示するためのものであり、それぞれの分版方法による印刷対象の画像データの印刷結果のイメージをカラーで示す画像である。
【０１１５】
選択ボタン８２Ａ〜８２Ｃは、それぞれプレビュー画像８１Ａ〜８１Ｃが示す分版方法を選択するためのボタンである。
【０１１６】
色変更ボタン８３Ａ〜８３Ｃは、それぞれプレビュー画像８１Ａ〜８１Ｃとして表示される画像を、インク色の組み合わせを変更した場合の印刷結果のイメージを示す画像に変更するためのボタンである。
【０１１７】
印刷装置１で使用されたことがあるインク色で利用可能な分版方法においては、１つの分版方法に対して、複数通りの使用可能なインク色の組み合わせが存在することがある。そこで、色変更ボタン８３Ａ〜８３Ｃを押下することで、インク色の組み合わせを変更した場合の印刷結果のイメージを提示できるようになっている。これにより、分版方法選択画面８０において、分版方法ごとに複数通りのインク色の組み合わせを提示可能である。
【０１１８】
分版方法選択画面８０においても、分版方法選択画面７０と同様に、プレビュー画像８１Ａ〜８１Ｃを、それぞれの分版方法の推奨度合いに応じた優先順位をつけて提示している。
【０１１９】
なお、分版方法選択画面８０においても、分版方法選択画面７０と同様に、３つの分版方法を提示しているが、提示する分版方法の数はこれに限らない。利用可能と判定された分版方法のすべてを提示してもよいし、利用可能と判定された分版方法のうち優先順位が高い方から一部を提示してもよい。
【０１２０】
ここで、例えば、印刷装置１で使用されたことがあるインク色が、ブラック、レッド、およびグリーンであるとする。この場合、前述のように、赤色分版、緑色分版、暖色／寒色分版、および有彩／無彩分版が、印刷装置１で使用されたことがあるインク色で利用可能な分版方法であると判定される。
【０１２１】
この場合において、印刷対象の画像データが、図８に示す原稿９０を読み取って得られたものであるとすると、赤色分版、緑色分版、暖色／寒色分版、有彩／無彩分版による印刷結果は、例えば、それぞれ図９〜図１２のようになる。例えば、図９の赤色分版の例では、図８の原稿９０における赤系色である色Ａ，Ｂの部分がレッド、赤系色以外の色である色Ｃ〜Ｆの部分がブラックに分版されている。
【０１２２】
この例に対し、分版方法選択画面８０において提示される分版方法が３つであり、色分版の５つの分版方法の優先順位が赤色分版、青色分版、緑色分版、暖色／寒色分版、有彩／無彩分版の順であるとする。この場合、各分版方法の優先順位に応じて、それぞれ赤色分版、緑色分版、暖色／寒色分版による図９〜図１１に示す３つの印刷結果の画像が、それぞれプレビュー画像８１Ａ〜８１Ｃとして表示される。
【０１２３】
ここで、前述のように、印刷装置１で使用されたことがあるインク色で利用可能な分版方法においては、１つの分版方法に対して、複数通りの使用可能なインク色の組み合わせが存在することがある。例えば、図９の赤色分版の例では、インク色の組み合わせは、レッドとブラックとの組み合わせであるが、レッドとグリーンとの組み合わせとすることもできる。これに対し、例えば、レッドとブラックとの組み合わせによる印刷結果がプレビュー画像８１Ａとして表示されている場合において、色変更ボタン８３Ａが押下されると、プレビュー画像８１Ａが、レッドとグリーンとの組み合わせによる印刷結果に切り替わる。
【０１２４】
分版方法選択画面７０の選択ボタン７２Ａ〜７２Ｃのいずれか、または分版方法選択画面８０の選択ボタン８２Ａ〜８２Ｃのいずれかが押下され、印刷開始指示が入力されると、印刷データ生成部６３は、選択された分版方法により印刷対象の画像データを分版し、２色のインク色のそれぞれの印刷データを生成する。
【０１２５】
例えば、印刷装置１で現在使用中のインク色が、ブラックおよびレッドであり、分版方法選択画面７０において赤色分版が選択されたとする。この場合、印刷データ生成部６３は、印刷対象の画像データにおける赤系色の部分に基づいてレッド用の印刷データを生成し、赤系色以外の色の部分に基づいてブラック用の印刷データを生成する。
【０１２６】
また、例えば、印刷装置１で使用されたことがあるインク色が、ブラック、レッド、およびグリーンであり、分版方法選択画面８０において、レッドおよびグリーンによる暖色／寒色分版が選択されたとする。この場合、印刷データ生成部６３は、印刷対象の画像データにおける暖色の部分に基づいてレッド用の印刷データを生成し、寒色の部分に基づいてグリーン用の印刷データを生成する。
【０１２７】
ここで、印刷装置１で使用されたことがあるインク色で利用可能な分版方法からの選択の場合、インク色の組み合わせとしては、分版方法選択画面８０の選択ボタン８２Ａ〜８２Ｃのいずれかが押下されたときに、押下された選択ボタンに対応するプレビュー画像に表示されている印刷結果におけるインク色の組み合わせが選択されたと判断される。
【０１２８】
また、印刷装置１で使用されたことがあるインク色で利用可能な分版方法からの選択の場合において、ユーザが選択したインク色の組み合わせが、現在使用中のインク色の組み合わせと異なる場合、選択したインク色の組み合わせとなるように、ユーザが、第１印刷ドラム２６および第２印刷ドラム４１の少なくともいずれかを交換する。
【０１２９】
２色のインク色のそれぞれの印刷データが生成されると、印刷制御部６４は、２色印刷用の製版および着版を行う。
【０１３０】
具体的には、まず、印刷制御部６４は、製版部２を第１原紙供給位置に配置した状態で、第１印刷ドラム２６のインク色の印刷データに基づき、孔版原紙にサーマルヘッドで穿孔して製版するよう製版部２を制御する。
【０１３１】
次いで、印刷制御部６４は、製版された孔版原紙の先端を第１印刷ドラム２６のクランプ板（図示せず）にクランプさせ、第１印刷ドラム２６を回転させることで、孔版原紙を第１印刷ドラム２６に着版させる。
【０１３２】
次いで、印刷制御部６４は、製版部２を第２原紙供給位置へ移動させる。次いで、印刷制御部６４は、第２印刷ドラム４１のインク色の印刷データに基づき、孔版原紙にサーマルヘッドで穿孔して製版するよう製版部２を制御する。そして、印刷制御部６４は、製版された孔版原紙の先端を第２印刷ドラム４１のクランプ板（図示せず）にクランプさせ、第２印刷ドラム４１を回転させることで、孔版原紙を第２印刷ドラム４１に着版させる。
【０１３３】
次いで、印刷制御部６４は、フリッパ３１を片面印刷方向に設定する。次いで、印刷制御部６４は、第１印刷ドラム２６および第２印刷ドラム４１の回転、中間ベルト搬送部３２の駆動、および排紙用ベルト搬送部４６の駆動を開始させる。
【０１３４】
そして、印刷制御部６４は、給紙部３から指定印刷枚数分の用紙Ｐを順次第１印刷部４に給紙させる。給紙された用紙Ｐは、第１印刷ドラム２６および第１プレスローラ２７により搬送されつつ、第１印刷ドラム２６のインク色で一方の面に印刷される。
【０１３５】
第１印刷ドラム２６と第１プレスローラ２７との間を通過した用紙Ｐは、フリッパ３１により中間ベルト搬送部３２へ導かれ、中間ベルト搬送部３２により第２印刷ドラム４１と第２プレスローラ４２との間へ送り出される。そして、用紙Ｐは、第２印刷ドラム４１および第２プレスローラ４２により搬送されつつ、第１印刷ドラム２６で印刷された面と同じ面に、第２印刷ドラム４１のインク色で印刷される。これにより、用紙Ｐに２色印刷が施される。
【０１３６】
２色印刷された用紙Ｐは、排紙部８において排紙用ベルト搬送部４６により搬送されて排紙台４７へ順次排紙される。指定印刷枚数分の用紙Ｐが印刷されて排紙されると、一連の動作が終了となる。
【０１３７】
以上説明したように、印刷装置１では、推奨分版機能を用いた２色印刷時において、判定部６２は、印刷装置１で現在使用中の各インク色の属性に基づき、色分版の５つの分版方法のうち、印刷装置１で現在使用中のインク色で利用可能な分版方法を判定する。そして、表示部５１は、印刷装置１で現在使用中のインク色で利用可能と判定された分版方法をユーザに提示する。これにより、ユーザが、現在使用中のインク色で実際に利用可能な分版方法から自身の意図に応じた分版方法を選択できるので、印刷結果がユーザの意図に沿わないものになることを低減できる。
【０１３８】
また、推奨分版機能を用いた２色印刷時において、判定部６２は、印刷装置１で使用されたことがある各インク色の属性に基づき、色分版の５つの分版方法のうち、印刷装置１で使用されたことがあるインク色で利用可能な分版方法を判定する。そして、表示部５１は、印刷装置１で使用されたことがあるインク色で利用可能と判定された分版方法をユーザに提示する。これにより、現在使用中のインク色以外のインク色を含む、ユーザが所有するインク色で実際に利用可能な分版方法を提示することで、ユーザにより多くの選択肢を提供できる。そして、ユーザが所有するインク色で実際に利用可能な分版方法から自身の意図に応じた分版方法を選択できるので、印刷結果がユーザの意図に沿わないものになることをより低減できる。
【０１３９】
また、印刷装置１では、表示部５１において、利用可能な複数の分版方法を、それぞれの分版方法の推奨度合いに応じた優先順位をつけて提示するので、ユーザによる分版方法の選択をサポートできる。
【０１４０】
また、印刷装置１では、使用されたことがあるインク色で利用可能な分版方法の提示において、分版方法ごとに複数通りのインク色の組み合わせを提示可能である。これにより、ユーザの選択肢を広げ、印刷結果がユーザの意図に沿わないものになることをより低減できる。
【０１４１】
なお、上述した実施の形態では、印刷装置１で現在使用中のインク色で利用可能な分版方法を提示する分版方法選択画面７０と、印刷装置１で使用されたことがあるインク色で利用可能な分版方法を提示する分版方法選択画面８０とを、切り替えて表示した。しかし、印刷装置１で現在使用中のインク色で利用可能な分版方法と、印刷装置１で使用されたことがあるインク色で利用可能な分版方法とを、同時に表示部５１に提示するようにしてもよい。
【０１４２】
また、上述した実施の形態では、印刷装置１で現在使用中のインク色で利用可能な分版方法の判定と、印刷装置１で使用されたことがあるインク色で利用可能な分版方法の判定とを行ったが、これらのいずれかを省略してもよい。
【０１４３】
また、分版方法選択画面８０の色変更ボタン８３Ａ〜８３Ｃを省略してもよい。この場合、プレビュー画像８１Ａ〜８１Ｃで提示するインク色の組み合わせは、例えば、それぞれの分版方法におけるインク色の使用頻度に応じた優先順位に基づき決定すればよい。また、予め分版方法ごとのメインのインク色（例えば、緑色分版における緑系色）、およびメイン以外のインク色としてそれぞれデフォルトのインク色を設定しておいてもよい。この場合において、印刷装置１で使用されたことがあるインク色にデフォルトのインク色が含まれない場合には、例えば、インク色の使用頻度に応じた優先順位や、ユーザの指定に基づき、使用されたことがあるインク色のなかから提示するインク色の組み合わせを決定すればよい。
【０１４４】
また、上述した実施の形態では、インク色のインクＩＤに基づき、属性テーブル記憶部５７を参照してインク色の属性を取得したが、インク色の色情報（Ｌ＊ａ＊ｂ＊値）に基づき属性を判断してもよい。
【０１４５】
また、上述した実施の形態では、孔版印刷方式の印刷装置で２色印刷する場合で説明したが、印刷方式は、インクジェット方式等の他の印刷方式でもよい。また、３色以上の多色印刷の場合にも本発明は適用可能である。
【０１４６】
また、上述した実施の形態では、色分版における分版方法として、赤色分版、青色分版、緑色分版、暖色／寒色分版、および有彩／無彩分版の５つの分版方法がある場合で説明したが、色分版における分版方法の数および種類は、これに限らない。
【０１４７】
本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【０１４８】
１  印刷装置
２  製版部
３  給紙部
４  第１印刷部
５  中間搬送部
６  反転部
７  第２印刷部
８  排紙部
１１  画像読取部
１２  操作パネル部
１３  記憶部
１４  制御部
２６  第１印刷ドラム
４１  第２印刷ドラム
５１  表示部
５６  インク履歴記憶部
５７  属性テーブル記憶部
５８  属性テーブル
６１  読取制御部
６２  判定部
６３  印刷データ生成部
６４  印刷制御部
６５  表示制御部
６６  インク履歴管理部
７０，８０  分版方法選択画面
７１Ａ〜７１Ｃ，８１Ａ〜８１Ｃ  プレビュー画像
７２Ａ〜７２Ｃ，８２Ａ〜８２Ｃ  選択ボタン
８３Ａ〜８３Ｃ  色変更ボタン
【図１】
2018058292.tif 000003
【図２】
2018058292.tif 000004
【図３】
2018058292.tif 000005
【図４】
2018058292.tif 000006
【図５】
2018058292.tif 000007
【図６】
2018058292.tif 000008
【図７】
2018058292.tif 000009
【図８】
2018058292.tif 000010
【図９】
2018058292.tif 000011
【図１０】
2018058292.tif 000012
【図１１】
2018058292.tif 000013
【図１２】
2018058292.tif 000014